(57)【要約】【課題】ハンチングが発生し始めたときに、振動が極端に大きくなることを押さえ、ハンチングを解消することができる振動低減システムを提供する。【解決手段】振動低減システムは、一端側の部分が熱媒ヒータ６０のドレンタンク６３に接続され、他端側の部分がドレンタンク６３を収容する構造物９２に接続されて、構造物９２に対してドレンタンク６３を支持し、一端と他端とを結ぶ方向において伸縮可能なサポート７０と、制御部９１に接続され、サポート７０を伸縮させるサポート伸縮部８０と、を備える。制御部９１は、レベル計６４により検出された水位が、所定時間内に所定回数を超えて所定の範囲を超えた場合に、サポート７０の一端と他端とを結ぶ方向においてサポート７０を伸ばすか又は縮めるようにサポート伸縮部８０に対して制御を行う。【選択図】図２
2013190173.tif 000002
【特許請求の範囲】
【請求項１】
蒸気が流通する蒸気管と、前記蒸気管に接続され、前記蒸気管に流通する蒸気の熱を熱媒に伝達する熱交換部と、前記蒸気管に接続され、前記蒸気管を開閉させる蒸気供給弁と、前記蒸気管に接続され、前記蒸気管に流通する蒸気から生じるドレンを収容するドレンタンクと、前記ドレンタンクに収容されるドレンの水位を検出するレベル計と、前記レベル計により検出された水位に基づいて前記蒸気供給弁の開度を調整する制御部と、を有する熱媒ヒータと、
一端側の部分が前記ドレンタンクに接続され、他端側の部分が前記ドレンタンクを収容する構造物に接続されて、前記構造物に対して前記ドレンタンクを支持し、前記一端と他端とを結ぶ方向において伸縮可能なサポートと、
前記制御部に接続され、前記サポートを伸縮させるサポート伸縮部と、を備え、
前記制御部は、前記レベル計により検出された水位が、所定時間内に所定回数を超えて所定の範囲を超えた場合に、前記サポートの一端と他端とを結ぶ方向において前記サポートを伸ばすか又は縮めるように前記サポート伸縮部に対して制御を行うことを特徴とする振動低減システム。
【請求項２】
前記レベル計は、ドレンタンク内の気圧を検出することにより前記ドレンの水位を検出することを特徴とする請求項１記載の振動低減システム。
【請求項３】
前記制御部は、サポートを伸ばす制御を行った後にはサポートを縮める制御を行うか、又は、サポートを縮める制御を行った後にはサポートを伸ばす制御を前記サポート伸縮部に対して行うことを特徴とする請求項１又は請求項２記載の振動低減システム。
【請求項４】
前記サポートは、
他端側の端部にねじが螺刻された一端側棒部と、
前記一端側棒部の軸心と同一直線上に軸心が配置され、一端側の端部にねじが螺刻された他端側棒部と、
一端側ねじ部と他端側ねじ部とを有し、前記一端側棒部及び前記他端側棒部に対して同軸的な位置関係で、前記一端側棒部のねじと一端側ねじ部とが螺合し合い、前記他端側棒部のねじと他端側ねじ部とが螺合し合う状態で回転可能であり、一の方向への前記回転により、前記一端と他端とを結ぶ方向において前記一端側棒部と前記他端側棒部とを接近させ、他の方向への前記回転により、前記一端と他端とを結ぶ方向において前記一端側棒部と前記他端側棒部とを離間させる回転部材と、
を有することを特徴とする請求項１乃至請求項３のいずれか一記載の振動低減システム。
【請求項５】
前記サポートの他端側の部分は、構造物の部分であって前記ドレンタンクの上方に位置する部分に接続されていることを特徴とする請求項１乃至請求項４のいずれか一記載の振動低減システム。
【発明の詳細な説明】
【技術分野】
【０００１】
本発明は、振動低減システムに関する。特に、発電所等の施設の熱媒ヒータの蒸気管を開閉させるときに発生する振動を低減する振動低減システムに関する。
【背景技術】
【０００２】
従来より、発電所等の施設には、所定の処理が終わった排煙を排出する場合に、環境上の観点から、基準となる温度以上に排ガスを加熱し、煙突等の排出口から排出している。排ガスを所定温度以上にすることで、例えば、排ガスを煙突から一定の範囲以上に拡散させる。
【０００３】
通常、発電所等の施設は、集じん装置と脱硫装置とを有している。集じん装置は、温度の低下させられたガスからばいじんを除去する。その後、脱硫装置によって排ガスから硫黄分を除去する処理が行われた後に排出されたガスが、最終的な排煙となる。脱硫装置は、多量の水を使用して脱硫する。このため、水によってガスの熱が奪われる。特に、発電量の負荷が上昇したときには、排煙の温度を高く保つために、多くの加熱が必要となる。
【０００４】
そこで、従来より、排煙となるガスを排出する前に、ガスガスヒータ等で加熱することが知られている。具体的には、集じん装置に送られる前のガスを、熱回収機を構成するガスガスヒータ３０に通すことにより温度低下させることで、ガスガスヒータ３０の熱媒を加熱する。加熱された熱媒は、熱媒流路を通して、脱硫装置の下流側に設けられた再加熱機を構成するガスガスヒータ４０に送られる。脱硫装置から排出されたガスは、再加熱機を構成するガスガスヒータ４０で加熱される。発電量の負荷が上昇したときには、熱媒流路に設けられた熱媒ヒータによって、熱媒を更に加熱する。
【０００５】
熱媒ヒータは、蒸気管と熱交換部と蒸気供給弁とドレンタンクとを有している。蒸気管には蒸気が流通する。熱交換部は、蒸気管に接続され、蒸気管に流通する蒸気の熱を熱媒に伝達する。蒸気管に流通する蒸気は、熱媒流路に流通する熱媒を加熱する。蒸気供給弁は、蒸気管に接続され、蒸気管を開閉する。ドレンタンクは、蒸気管に接続され、蒸気管に流通する蒸気から生じるドレンを収容する。また、ドレンタンクには、レベル計が接続されている。レベル計は、ドレンタンクに収容されるドレンの水位を検出する。また、蒸気供給弁には制御部が接続されている。制御部は、レベル計により検出された水位に基づいて、蒸気供給弁の開度を調整する。熱媒ヒータの蒸気管内に流通する蒸気によって、前述の熱媒が加熱される。
【０００６】
より詳細には、熱媒ヒータの制御部は、記憶媒体を有しており、記憶媒体には所定の水位の値の範囲が記憶されている。制御部は、レベル計により検出された水位が当該所定の水位の値の範囲を上回った場合には、蒸気供給弁の開度を小さくする。また、制御部は、レベル計により検出された水位が当該所定の水位の値の範囲を下回った場合には、蒸気供給弁の開度を大きくする。
【先行技術文献】
【特許文献】
【０００７】
【特許文献１】特開２００８−０５２５０８号公報
【発明の概要】
【発明が解決しようとする課題】
【０００８】
従来の熱媒ヒータでは、前述のように、制御部は、レベル計により検出された水位が当該所定の水位の値の範囲を上回ったか、下回ったかについて判断することにより、蒸気供給弁の開度を調整していた。季節の変わり目には、蒸気供給弁が短時間に連続して開閉してしまい、振動が極端に大きくなる、いわゆるハンチングが生ずることがある。ハンチングは、１０分に１回程度の頻度で発生することもある。ハンチングが発生すると、熱媒ヒータによる加熱を、一時停止しなくてはならなくなる。
【０００９】
そこで、本発明は、ハンチングが発生し始めたときに、振動が極端に大きくなることを押さえ、ハンチングを解消することができる振動低減システムを提供することを目的とする。
【課題を解決するための手段】
【００１０】
本発明は、蒸気が流通する蒸気管と、前記蒸気管に接続され、前記蒸気管に流通する蒸気の熱を熱媒に伝達する熱交換部と、前記蒸気管に接続され、前記蒸気管を開閉させる蒸気供給弁と、前記蒸気管に接続され、前記蒸気管に流通する蒸気から生じるドレンを収容するドレンタンクと、前記ドレンタンクに収容されるドレンの水位を検出するレベル計と、前記レベル計により検出された水位に基づいて前記蒸気供給弁の開度を調整する制御部と、を有する熱媒ヒータと、一端側の部分が前記ドレンタンクに接続され、他端側の部分が前記ドレンタンクを収容する構造物に接続されて、前記構造物に対して前記ドレンタンクを支持し、前記一端と他端とを結ぶ方向において伸縮可能なサポートと、前記制御部に接続され、前記サポートを伸縮させるサポート伸縮部と、を備え、前記制御部は、前記レベル計により検出された水位が、所定時間内に所定回数を超えて所定の範囲を超えた場合に、前記サポートの一端と他端とを結ぶ方向において前記サポートを伸ばすか又は縮めるように前記サポート伸縮部に対して制御を行うことを特徴とする振動低減システムに関する。
【００１１】
ここで、前記レベル計は、ドレンタンク内の気圧を検出することにより前記ドレンの水位を検出することが好ましい。
【００１２】
また、前記制御部は、サポートを伸ばす制御を行った後にはサポートを縮める制御を行うか、又は、サポートを縮める制御を行った後にはサポートを伸ばす制御を前記サポート伸縮部に対して行うことが好ましい。
【００１３】
また、前記サポートは、他端側の端部にねじが螺刻された一端側棒部と、前記一端側棒部の軸心と同一直線上に軸心が配置され、一端側の端部にねじが螺刻された他端側棒部と、一端側ねじ部と他端側ねじ部とを有し、前記一端側棒部及び前記他端側棒部に対して同軸的な位置関係で、前記一端側棒部のねじと一端側ねじ部とが螺合し合い、前記他端側棒部のねじと他端側ねじ部とが螺合し合う状態で回転可能であり、一の方向への前記回転により、前記一端と他端とを結ぶ方向において前記一端側棒部と前記他端側棒部とを接近させ、他の方向への前記回転により、前記一端と他端とを結ぶ方向において前記一端側棒部と前記他端側棒部とを離間させる回転部材と、を有することが好ましい。
【００１４】
また、前記サポートの他端側の部分は、構造物の部分であって前記ドレンタンクの上方に位置する部分に接続されていることが好ましい。
【発明の効果】
【００１５】
本発明によれば、ハンチングが発生し始めたときに、振動が極端に大きくなることを押さえ、ハンチングを解消することができる振動低減システムを提供することができる。
【図面の簡単な説明】
【００１６】
【図１】本発明の一実施形態による振動低減システムの構成を示す模式図である。
【図２】本発明の一実施形態による振動低減システムの熱媒ヒータを主として示す模式図である。
【図３】本発明の一実施形態によるサポートを示す拡大斜視図である。
【発明を実施するための形態】
【００１７】
以下、図面を参照して本発明の実施形態による振動低減システムを説明する。図１は、本発明の一実施形態による振動低減システム１の構成を示す模式図である。図２は、本発明の一実施形態による振動低減システム１の熱媒ヒータ６０を主として示す模式図である。図３は、本発明の一実施形態によるサポート７０を示す拡大斜視図である。
【００１８】
振動低減システム１は、石炭を用いて発電する火力発電所の部分であって火力発電所のボイラから送られてくる排ガスを、大気中に排出できるようにするため部分を構成する。
【００１９】
火力発電所は、ボイラ（図示せず）と、タービン（図示せず）と、電気式集じん装置１０と、排煙脱硫装置２０と、熱回収器を構成するガスガスヒータ３０と、再加熱器を構成するガスガスヒータ４０と、熱媒管５１と、熱媒ヒータ６０と、サポート７０（図２参照）と、サポート伸縮部８０と、制御部９１とを有し、これらは、構造物９２である建屋に収容されている。熱媒ヒータ６０、サポート７０、サポート伸縮部８０、及び制御部９１は振動低減システム１を構成する。
【００２０】
ボイラは、微粉炭を燃焼させ、燃焼熱を発生させる。発生した燃焼熱によって、給水管（図示せず）から給水される水が加熱され、蒸発管（図示せず）において蒸気が発生する。タービンでは、発生した蒸気の圧力が回転エネルギーに変換され、回転エネルギーが発電に利用される。
【００２１】
ガスガスヒータ３０、電気式集じん装置１０、排煙脱硫装置２０、及びガスガスヒータ４０は、排ガスが流れる上流側からこの順で配置されている。ガスガスヒータ３０は、ボイラから送られ窒素酸化物が除去された高温（例えば、１３４℃）の排ガスを、所定の温度（例えば、８９．６℃）にまで冷却する。電気式集じん装置１０は、ガスガスヒータ３０によって冷却された排ガスからばいじんを除去する。排煙脱硫装置２０は、電気式集じん装置１０によってばいじんが除去された排ガスから硫黄酸化物を除去する。ガスガスヒータ４０は、排煙脱硫装置２０によって硫黄酸化物が除去された低温（例えば、４８．７℃）の排ガスを、高温（例えば、９０℃）にまで加熱する。ガスガスヒータ４０によって９０℃に加熱された排ガスは、脱硫送風機（図示せず）によって煙突（図示せず）へ送風され、煙突から大気中に排出される。
【００２２】
熱媒管５１は、ガスガスヒータ３０とガスガスヒータ４０との間を掛け渡すようにして配置されている。熱媒管５１内には、図１おいて矢印で示す方向へ、熱媒が流通している。熱媒としては、液体の水（湯）が用いられている。熱媒管５１を通して流通する熱媒を介して、熱が、ガスガスヒータ３０からガスガスヒータ４０へと伝達可能である。熱媒ヒータ６０は、熱媒管５１に接続されている。
【００２３】
図２に示すように、熱媒ヒータ６０は、蒸気管６１と熱交換部６２とドレンタンク６３とレベル計６４と蒸気供給弁６５とを有している。蒸気管６１内には、蒸気が流通している。熱交換部６２は蒸気管６１及び熱媒管５１に接続されており、蒸気管６１に流通する蒸気の熱を熱媒管５１に流通する熱媒に伝達する。蒸気管６１（図２参照）内の蒸気の熱によって熱媒管５１（図１参照）内の熱媒が加熱させるように構成されている。蒸気供給弁６５は、蒸気管６１に接続されており、蒸気管６１内の空間を遮断したり、連通したりすることができる弁（図示せず）を有している。蒸気供給弁６５は、制御部９１に電気的に接続されている。ドレンタンク６３の水位が後述する制御部９１の記憶媒体に記憶されている所定の範囲に入るように、レベル計６４により検出された水位に基づいて、蒸気供給弁６５の開度は、制御部９１によって調整される。
【００２４】
ドレンタンク６３は、構造物９２である建屋の床９２１に固定されている。ドレンタンク６３は、蒸気管６１に接続されており、蒸気管６１に流通する蒸気から生じるドレンを収容可能である。レベル計６４は、蒸気管６１の部分であってドレンタンク６３の上端に接続され固定された部分に接続されている。蒸気管６１内の気圧を検出することによりドレンタンク６３内の気圧を検出し、このことにより、ドレンタンク６３内のドレンの水位を検出して表示する。
また、ドレンタンク６３はドレン回収用ポンプに接続されている。ドレンの水位が、後述する制御部９１の記憶媒体に記憶されている所定の範囲の下限以上のときに、ドレン回収用ポンプによってドレンが回収される。
また、レベル計６４は、制御部９１に電気的に接続されており、レベル計６４で検出されたドレンの水位を制御部９１に出力する。
【００２５】
サポート７０は棒状であり、図２における下端が一端であり、上端が他端である。図３に示すように、サポート７０は、一端側棒部７１と他端側棒部７２と回転部材７３とを有している。一端側棒部７１は、サポート７０の一端側の部分であり、環状部７１１（図２参照）と雄ねじ７１２（図３参照）とを有している。図２に示すように環状部７１１は、一端側棒部７１の一端部を構成しており、環状部７１１の内周により囲まれる空間には、蒸気管６１の部分であってドレンタンク６３の上端に接続され固定された部分が貫通している。従って、サポート７０の一端側の部分は、蒸気管６１を介してドレンタンク６３に接続されている。図３に示すように雄ねじ７１２は、一端側棒部７１の他端部の周面に形成されており、一端側棒部７１の軸心と同軸的な位置関係を有するらせん状の溝を有している。
他端側棒部７２は、サポート７０の他端側の部分であり、被固定部７２１（図２参照）と雄ねじ７２２（図３参照）とを有している。被固定部７２１は、構造物９２である建屋の天井近傍に設けられた梁９２２に固定されている。従って、サポート７０の他端側の部分は、ドレンタンク６３を収容する構造物９２の部分であってドレンタンク６３の上方に位置する部分に接続されており、サポート７０は、構造物９２に対してドレンタンク６３を支持している。被固定部７２１は他端側棒部７２の他端部を構成している。雄ねじ７２２は、他端側棒部７２の一端部の周面に形成されており、他端側棒部７２の軸心と同軸的な位置関係を有するらせん状の溝を有している。
一端側棒部７１の軸心と他端側棒部７２の軸心とは、それぞれ上下方向に延び、同一直線上に配置されて一致した位置関係を有する。一端側棒部７１の上方に他端側棒部７２が位置している。
【００２６】
回転部材７３は、一端部環状部７３１と他端部環状部７３２と連結部７３３とを有する。
一端部環状部７３１は、環状であり、その内周面には、一端側棒部７１の雄ねじ７１２と螺合し一端側ねじ部を構成する雌ねじ（図示せず）が形成されている。他端部環状部７３２は、環状であり、その内周面には、他端側棒部７２の雄ねじ７２２と螺合し他端側ねじ部を構成する雌ねじ（図示せず）が形成されている。
連結部７３３は、一対の腕部により構成されている。一対の腕部からなる連結部７３３は平行に延びている。連結部７３３の一端は、それぞれ一端部環状部７３１の部分であって一端部環状部７３１の直径をなす位置に一体で接続されている。連結部７３３の他端は、それぞれ他端部環状部７３２の部分であって他端部環状部７３２の直径をなす位置に一体で接続されている。
回転部材７３を一の方向へ回転させることにより、サポート７０の一端と他端とを結ぶ方向において一端側棒部７１と他端側棒部７２とが接近する。回転部材７３を他の方向へ回転させることにより、サポート７０の一端と他端とを結ぶ方向において一端側棒部７１と他端側棒部７２とが離間する。従って、サポート７０の一端と他端とを結ぶ方向において、サポート７０は、伸縮可能である。
【００２７】
サポート伸縮部８０はモータ８１とピニオン８２とを有している。モータ８１は、回転部材７３の一端側棒部７１の軸心及び他端側棒部７２の軸心と平行に延びる出力軸８１１を有している。出力軸８１１の先端部には、ピニオン８２が固定されている。ピニオン８２は、出力軸８１１と同軸的な位置関係を有している。また、モータ８１には制御部９１が電気的に接続されている。モータ８１の回転は制御部９１によって制御可能である。従って、サポート伸縮部８０は、制御部９１に電気的に接続されている。
ピニオン８２には、回転部材７３の連結部７３３が噛合している。ピニオン８２が回転することにより、回転部材７３が回転するように構成されている。
【００２８】
制御部９１は、ＣＰＵ（図示せず）と記憶媒体（図示せず）とを主として有している。記憶装置には、各種の制御を行うためにＣＰＵを動作させるためのプログラムと、水位の所定の範囲のデータと、所定回数のデータと、サポート７０を伸縮するためにサポート伸縮部８０に対してした前回の制御が、サポート７０を伸ばしたものであったか縮めたものであったかを示すデータと、回転部材７３を回転させる所定の回転数のデータとが記憶されている。
【００２９】
次に、制御部９１による振動低減の制御について説明する。火力発電所において発電を行っていときには、ガスガスヒータ３０によって、ボイラから送られ窒素酸化物が除去された高温の排ガスが冷却される。このとき、排ガスから熱媒管５１中の熱媒へと熱が伝達する。熱媒に伝達された熱は、熱媒管５１内を流れ、ガスガスヒータ４０に送られる。ガスガスヒータ４０によって、排煙脱硫装置２０により硫黄酸化物が除去された比較的低温の排ガスが、加熱され高温となる。このときには、熱媒管５１中の熱媒から排ガスへと熱が伝達する。伝達される熱が十分でないときには、制御部９１は、熱媒ヒータ６０による熱媒の加熱を行う制御をする。
【００３０】
制御部９１は、ドレンタンク６３内のドレンの水位が、記憶媒体に記憶されている所定の範囲よりも低い場合には、蒸気供給弁６５の弁を開き蒸気管６１内に流通する蒸気の量を多くする。ドレンタンク６３内のドレンの水位が、記憶媒体に記憶されている所定の範囲よりも高い場合には、蒸気供給弁６５の弁を閉じ、蒸気管６１内に流通する蒸気の量を少なくする。
【００３１】
このとき、制御部９１は、レベル計６４により検出された水位が、記憶媒体に予め記憶された所定の範囲を超えているか否かを判断する。また、制御部９１は、レベル計６４により検出された水位が、所定の範囲を超えている場合には、その検出が、記憶媒体に予め記憶された所定時間内において何回目か、を判断する。そして、その検出が、記憶媒体に予め記憶された所定回数を超えているか否かを判断する。その検出が、記憶媒体に予め記憶された所定回数を超えている場合には、制御部９１は、モータ８１を駆動させピニオン８２を回転させることによって、回転部材７３を所定の回転数だけ回転させる。
【００３２】
回転部材７３の回転方向は、初回は一の回転方向、例えば、一端側棒部７１から他端側棒部７２へ向かう方向で回転部材７３を見たときに、時計回り方向である。２回目以降は、前回回転した方向とは反対の方向に所定の回転数だけ回転する。従って、制御部９１は、サポート７０を伸ばす制御を行った後にはサポート７０を縮める制御を行う。また、制御部９１は、サポート７０を縮める制御を行った後にはサポート７０を伸ばす制御をサポート伸縮部８０に対して行う。この制御が繰り返し行われる。
【００３３】
上述のような実施形態による効果は次のとおりである。
振動低減システム１は、サポート７０とサポート伸縮部８０と制御部９１とを有しており、サポート７０は、一端側棒部７１が蒸気管６１を介してドレンタンク６３に接続され、他端側棒部７２がドレンタンク６３を収容する構造物９２を構成する梁９２２に接続され、構造物９２に対してドレンタンク６３を支持し、サポート７０の一端と他端とを結ぶ方向において伸縮可能である。また、サポート伸縮部８０は、サポート７０と、制御部９１とに接続され、サポート７０を伸縮させる。
また、制御部９１は、レベル計６４により検出された水位が、所定時間内に所定回数を超えて所定の範囲を超えた場合に、サポート７０の一端と他端とを結ぶ方向においてサポート７０を伸ばすか又は縮めるようにサポート伸縮部８０のモータ８１に対して制御を行う。
【００３４】
このため、季節の変わり目等に、短い所定時間に、蒸気供給弁６５が連続して開閉し始め振動が徐々に大きくなり始めたときに、回転部材７３を回転させてサポート７０を伸ばすか又は縮めることができる。このことにより、ドレンタンク６３に対するサポート７０への支持による、ドレンタンク６３へのサポート７０の状態を変えることができる。このため、ドレンタンク６３が振動する状態を変えることができ、ドレンタンク６３の水位がドレンタンク６３の振動により大きく変化することを防止することができる。
この結果、蒸気供給弁６５が短時間に開閉して振動が徐々に大きくなることを防止でき、振動を収束させることができ、ハンチングによって熱媒ヒータ６０を停止させなければならなくなることを避けることができる。
【００３５】
また、レベル計６４は、ドレンタンク６３内の気圧を検出することによりドレンの水位を検出する。このような構成の場合には、ドレンタンク６３の振動によって、ドレンの水位が大きく変化した旨の検出がなされことがある。しかし、前述のように、ドレンタンク６３の水位がドレンタンク６３の振動により大きく変化することを防止することができるため、このような構成であっても、ドレンタンク６３の水位がドレンタンク６３の振動により大きく変化することを防止することができる。
【００３６】
また、制御部９１は、サポート７０を伸ばす制御を行った後にはサポート７０を縮める制御を行うか、又は、制御部９１は、サポート７０を縮める制御を行った後にはサポート７０を伸ばす制御をサポート伸縮部８０のモータ８１に対して行うため、ドレンタンク６３の振動が徐々に収束してゆくように、容易にドレンタンク６３の振動の状態を変えることができる。
【００３７】
また、サポート７０は、一端側棒部７１と、他端側棒部７２と、一の方向への回転により、一端と他端とを結ぶ方向において一端側棒部７１と他端側棒部７２とを接近させ、他の方向への回転により、一端と他端とを結ぶ方向において一端側棒部７１と他端側棒部７２とを離間させる回転部材７３と、を有するため、比較的簡単な構成で、伸縮可能なサポート７０を構成することができる。
【００３８】
また、サポート７０の他端側棒部７２は、ドレンタンク６３の上方に位置する梁９２２に接続されているため、ドレンタンク６３の上方に位置する梁９２２と、サポート７０とでドレンタンク６３を上下方向から挟むようにして支持することができる。このため、効果的にドレンタンク６３の振動の状態を変えることができる。
【００３９】
本発明の実施形態は、上記実施形態に限定されることはなく、特許請求の範囲に記載された技術的範囲において変形が可能である。例えば、サポート及びサポート伸縮部は、本実施形態の構成のものに限定されない。サポートは、一端側の部分がドレンタンクに接続され、他端側の部分がドレンタンクを収容する構造物に接続されて、構造物に対してドレンタンクを支持し、一端と他端とを結ぶ方向において伸縮可能であればよい。また、サポート伸縮部は、制御部に接続され、サポートを伸縮させることができればよい。
また、サポート７０の他端側棒部７２は、ドレンタンク６３の上方に位置する梁９２２に接続されていたが、梁９２２に限定されず、また、構造物９２の部分であってドレンタンク６３の上方に位置する部分に限定されない。サポート７０の他端側棒部７２は、構造物９２の一部に接続されていればよい。
【符号の説明】
【００４０】
１  振動低減システム
６０  熱媒ヒータ
６１  蒸気管
６２  熱変換部
６３  ドレンタンク
６４  レベル計
６５  蒸気供給弁
７０  サポート
７１  一端側棒部
７２  他端側棒部
７３  回転部材
７３１  一端部環状部
７３２  他端部環状部
７３３  連結部
８０  サポート伸縮部
９１  制御部
９２  構造物
９２１  床
９２２  梁
【図１】
2013190173.tif 000003
【図２】
2013190173.tif 000004
【図３】
2013190173.tif 000005